(57)【要約】【課題】玄関扉、室内扉の違いの如何、吊元と勝手の違いの如何に拘りなく容易に対応できる扉錠を提供すること。【解決手段】ラッチヘッド２１の軸線に対して線対称型に形成した反転式ラッチ錠ユニット２０を、玄関扉、室内扉の違いや吊元と勝手の違いに対応させるべく、錠ケース１の内部に向きに合わせて単独に、もしくは本締め錠ユニット１５とともに組付けることによって、扉の吊元や勝手の違いに容易に対応できるようにしたもの。【選択図】　　　　図１
2004060296.tif 000002
【特許請求の範囲】
【請求項１】
閉扉時には後退して所定位置にロック機構に係止され、また開扉時にはラッチガイド操作片による前記係止を解除されて水平方向に回転して後退するラッチヘッドを、ケースの前板の中心に位置するように組み付け、また前記ラッチガイド操作片を露出させる窓孔を、前記ケースの対向する２つの側面の、前記ラッチヘッドの進退方向の軸に対称な位置に配置して反転式ラッチ錠ユニットを構成し、前記反転式錠ユニットを錠ケースを挿入して扉に取り付ける扉錠。
【請求項２】
前記ラッチガイド操作片を露出させる窓孔が、前記ケースの対向する２つの側面の水平方向の中心線上に配置されている請求項１に記載の扉錠。
【請求項３】
前記錠ケースに、元締め錠ユニットの挿入領域が設けられている請求項１に記載の扉錠。
【発明の詳細な説明】
【０００１】
【発明の属する技術分野】
本発明は扉錠に関し、より詳しくは反転式ラッチ錠を備えた扉錠に関する。
【０００２】
【従来の技術】
実公平７−５４５０４号公報に見られるような閉扉時にはラッチヘッドの後退により閉扉され、開扉時には開扉力によりラッチヘッドが水平に反転して後退しながら開扉される、いわゆる反転式ラッチ錠は、扉の内開きや外開き、あるいは右勝手や左勝手の如何によりラッチボルトの向きを変えてゆく必要がある。
【０００３】
このような問題に対して、特許第２９２０１４５号公報に開示された装置は、単にラッチヘッドを軸線回りに反転させるだけで対応できるため、施工主の途中での変更や、吊元と勝手違いの変更等に対処できるものの、作業現場でこのようなラッチヘッドの組替えには小物部品を紛失しかねないといった虞れを有している。
【０００４】
また最近では、屋内の扉にも同様のラッチ錠を設けるような傾向になってきたが、このような要望に対処するには、必要となる種類の反転式ラッチ錠を建築現場で多数揃えておかねばならないといったといった問題も生じてきている。
【０００５】
【発明が解決しようとする課題】
本発明はこのような問題に鑑みてなされたもので、その目的とするところは、施主の途中での変更や、吊元と勝手の違い等に対して、ユニットのケースを分解してラッチヘッドの組替えを必要とすることなく容易にかつ確実に対処することのできる新たな扉錠を提供することにある。
【０００６】
【課題を解決するための手段】
すなわち、本発明はかかる課題を達成するための扉錠として、閉扉時には後退して所定位置にロック機構に係止され、また開扉時にはラッチガイド操作片による前記係止を解除されて水平方向に回転して後退するラッチヘッドを、ケースの前板の中心に位置するように組み付け、また前記ラッチガイド操作片を露出させる窓孔を、前記ケースの対向する２つの側面の、前記ラッチヘッドの進退方向の軸に対称な位置に配置して反転式ラッチ錠ユニットを構成し、前記反転式錠ユニットを錠ケースを挿入して扉に取り付けるようにしたものであり、また、この反転式ラッチ錠ユニットを、扉の所定位置に独立に、かつ前記ラッチヘッドの軸線回りに反転自在に取付け得るようにしたものである。
【０００７】
【発明の実施の形態】
そこで以下に本発明の実施例について説明する。
図１は本発明の一実施例を示したものである。
【０００８】
図において符号１は、本締り錠ユニット１５と反転式ラッチ錠ユニット２０を別個に取付け得る錠ケースで、その前板２には、本締り錠ユニット１５の取付け孔３と反転式ラッチ錠ユニット２０の取付け孔５がそれぞれ位置決め孔４、６とともに上下に分けて設けられており、また、その側板７には、これらの錠ユニット１５、２０と対応する位置に、本締り錠操作用の開口部８とラッチガイド操作用の開口部９が設けられており、さらに、この錠ケース１の前面に取付けるフロント板１２には、反転式ラッチ錠ユニット２０のラッチヘッド２１が出入する出入孔１３のほか、本締り錠ユニット１５の錠栓１６が出入りする出入孔１４が必要に応じて設けられる。
【０００９】
反転式ラッチ錠ユニット２０は、施錠、開錠機構は、実公平７−５４５０４号公報と同様な構造、つまりラッチヘッド自体は、上下反転構造を有しないものとして構成されているものの、ラッチヘッド２１は、ユニット２０を構成するケースの前板２２の中心に位置するように設けられている。またラッチガイド操作片２３を露出させる窓孔２４は、図３に示したように対向する２つの側面２５の水平方向の中心線Ｃ上に位置するように形成されている。
すなわち、ケースや、窓孔２４がラッチヘッド２１の後退方向の軸線に対して線対象となるように構成、配置されている。
【００１０】
なお、図中符号１７、２６は、本締り錠ユニット１５と反転式ラッチ錠ユニット２０に設けた各ネジ孔を示している。
【００１１】
このように構成された実施例において、はじめに錠ケース１は、ドアメーカーが自動機械によって扉の端面に正確に削成した取付け孔の内部に嵌め込むようにして取付けられる。
【００１２】
図１は、左勝手の外開き式玄関扉に適用したもので、この場合には、錠ケース１の内部には予め本締り錠ユニット１５が組込まれ、また、反転式ラッチ錠ユニット２０が、図示したように、左勝手の外開き式に適した向きにされた状態で組付けられている。
【００１３】
これに対し、室内の間仕切り用として左勝手の内開き扉に適用させる場合には、図２に示した実施例のように、本締り錠ユニット１５は装着せず、その代わりに反転式ラッチ錠ユニット２０を、先とは向きを逆に、つまり、天地を逆にさせて錠ケース１内に装着して、本締め錠を有しない左勝手の内開き用の室内間仕切り用扉に適したものとする。
【００１４】
なお、これとともに錠ケース１の前面には、本締り錠ユニット１５用の出入孔１４のないフロント板１２が取付けられ、また扉には、室内の間仕切り用のドアハンドル２８が取付けられる。
【００１５】
他方、図４は、反転式ラッチ錠ユニット２０を独立に構成した本発明の利点を利用して、施工主が建築の途中で変更してきた事態に容易に対応できるようにした本発明の他の実施例について示したものである。
【００１６】
この場合には、建築現場での大きな孔加工は困難であるため、扉３０の端面には反転式ラッチ錠ユニット２０のみを装着するのに必要なだけの小さな取付け孔を削成し、ここに、取付け向きを吊元と勝手違いに適応するように変えた上で反転式ラッチ錠ユニット２０を挿入することにより、建築現場での組付けを容易にしたもので、この場合、扉の端面にいま１つの取付け孔を削成することによって、本締り錠ユニット１５をも同時に組付けることもできる。
【００１７】
なお、上述の実施例においては、左勝手について説明したが、図５に示したように右勝手のものにも簡単に変更することができる。
【００１８】
【発明の効果】
以上述べたように本発明によれば、本締め錠ユニットと併設するかもしくはラッチヘッドの向きを定めた上で、反転式ラッチ錠ユニットを錠ケースに組付けるだけで、玄関扉か室内扉かの違い、あるいは吊元と勝手の違いに応じて扉錠を簡単に扉に装着することができる。
しかも、錠ケースを用いることにより、扉に設ける取付け孔を錠ケースに合せて自動機により正確にしかも効率よく成形することができる。
【００１９】
またさらに、独立に形成したこの反転式ラッチ錠ユニットを扉にそのまま取付けるようにすれば、作業現場で行う取付け孔の削成作業を最小限に済ますことができて、施工主のその都度の設計変更にも容易に対応することができる。
【図面の簡単な説明】
【図１】本発明の一実施例を示す扉錠の分解斜視図である。
【図２】室内用の吊元勝手違いの扉に適用した場合の同上装置の分解斜視図である。
【図３】図（イ）、（ロ）は、それぞれ反転式ラッチ錠ユニットのを表裏の構造で示す斜視図である。
【図４】本発明のさらに別の実施例を示した装置の分解斜視図である。
【図５】右勝手の扉に適用した場合の同上装置の分解斜視図である。
【符号の説明】
１　錠ケース
１５　本締め錠ユニット
２０　反転式ラッチ錠ユニット
２１　ラッチヘッド
２８　ドアハンドル
【図１】
2004060296.tif 000003
【図２】
2004060296.tif 000004
【図３】
2004060296.tif 000005
【図４】
2004060296.tif 000006
【図５】
2004060296.tif 000007